(57)【要約】【課題】  このような従来の問題点に鑑み、ＩＣコインを容易に収集することが可能な遊技媒体貸出機を提供する。【解決手段】  玉貸機１は、ＩＣコインを保留する保留部２４の出口においてＩＣコインのデータを読み取る下部リーダ５２を設け、下部リーダ５２でデータを読み取れなかったＩＣコインまたは保留部２４にてオーバーフローしたＩＣコインは収納部パネル８０に取り付けられたエラーコイン収納部８２に収納される。収納部パネル８０は鍵受部が鍵のキープレートに、軸受部が軸に夫々支持されることによって固定され、鍵を開錠することにより収納部パネル８０が手前側に回動可能となる。【選択図】        図９
2006000331.tif 000002
【特許請求の範囲】
【請求項１】
データを記憶させたＩＣコインを受け入れ可能で、前記データに基づいて遊技媒体の貸出しを行い、遊技終了時にはデータを記憶させたＩＣコインを払出す遊技媒体貸出機において、ＩＣコインの投入口と、返却口と、投入口からのＩＣコインを保留する保留部と、前記保留部の出口においてＩＣコインのデータを読み取る下部リーダと、前記下部リーダでデータを読み取れなかったＩＣコインまたは保留部にてオーバーフローしたＩＣコインを収納する収納部とを有し、前記収納部は、前記遊技媒体貸出機の本体部と前記収納部との何れか一方側に備えられた保持受部が他方側に備えられた保持機構に、前記遊技媒体貸出機の本体部と前記収納部との何れか一方側に備えられた軸受部が他方側に備えられた軸に夫々支持されることによって固定され、前記保持機構を開放することにより前記収納部が手前側に回動可能となることを特徴とする遊技媒体貸出機。
【発明の詳細な説明】
【技術分野】
【０００１】
本発明は、遊技施設に併設されパチンコ玉やメダル等の遊技媒体を貸し出す遊技媒体貸出機に関する。
【背景技術】
【０００２】
近年、パチンコ・パチスロ遊技場においてはＩＣコインを利用した遊技媒体貸出しシステムが導入されている。これは、遊技媒体貸出機が、指定購入金額に応じた玉やメダルなどの遊技媒体を払出す一方、投入した紙幣やＩＣコインの金額から遊技媒体の購入金額を差し引いた金額その他のデータを書き込んだＩＣコインを払出して返却するものとなっている。
【０００３】
このような遊技媒体貸出機として、例えば特開２００１−３００１１７号公報に開示されたものがある。これは、遊技媒体貸出機の金銭投入口に金銭が投入され、ＩＣコイン払出ボタンが押されると金銭の額に応じた遊技媒体データが書き込まれた後に払出口から払い出されプレイスタートボタンが押されると遊技媒体データが残存している場合には所定個数の遊技媒体が貸し出され、遊技媒体データが残存していない場合には、ＩＣコインはＩＣコイン回収箱に回収される。
【特許文献１】特開２００１−３００１１７号公報
【発明の開示】
【発明が解決しようとする課題】
【０００４】
ＩＣコインを利用した遊技媒体貸出機においては、回収したＩＣコインを遊技店員が容易に収集できることが求められる。しかしながら、上記した特許文献１の遊技媒体貸出機では、ＩＣコイン回収箱はＩＣコイン回収箱開放キーにて開放するとされているが、その収集方法については具体的な構造が示されていない。示されている図からはＩＣコイン回収箱を手前側に擦動させて引き出す構成としていることが想像されるが、真直ぐに引き出されないと途中で引っ掛かるなどし、容易に引き出すことができなくなる。また真っ直ぐ引き出せるようにガイドレールなどを設けると、部品数が増加しコストが増大してしまうといった問題が考えられる。  
【０００５】
本発明は、このような従来の問題点に鑑み、ＩＣコインを容易に収集することが可能な遊技媒体貸出機を提供することを目的とする。
【課題を解決するための手段】
【０００６】
本発明は上記目的を達成させるため、遊技媒体貸出機が、ＩＣコインの投入口と、返却口と、投入口からのＩＣコインを保留する保留部と、保留部の出口においてＩＣコインのデータを読み取る下部リーダと、下部リーダでデータを読み取れなかったＩＣコインまたは保留部にてオーバーフローしたＩＣコインを収納する収納部とを有し、収納部は、遊技媒体貸出機の本体部と収納部との何れか一方側に備えられた保持受部が他方側に備えられた保持機構に、遊技媒体貸出機の本体部と収納部との何れか一方側に備えられた軸受部が他方側に備えられた軸に夫々支持されることによって固定され、保持機構を開放することにより収納部が手前側に回動可能となるものとした。
【発明の効果】
【０００７】
下部リーダにてデータを読み取れなかったＩＣコインまたは保留部にてオーバーフローしたＩＣコインは収納部に収納される。収納部は遊技媒体貸出機の本体部と収納部との何れか一方側に備えられた保持受部が他方側に備えられた保持機構に、遊技媒体貸出機の本体部と収納部との何れか一方側に備えられた軸受部が他方側に備えられた軸に夫々支持されることによって固定され、保持機構を開放することにより収納部が手前側に回動可能となるので、容易にＩＣコインを収集することができる。
【発明を実施するための最良の形態】
【０００８】
以下、本発明の実施の形態について詳細に説明する。  図１は、本発明を適用した遊技媒体貸出機の実施の形態の構成を示す図である。  遊技媒体貸出機としての玉貸機１が図示省略のパチンコ台間に設置されている。玉貸機１は、それぞれ紙幣挿入口３、硬貨およびＩＣコインの共通投入口４、カード挿入口５、ＩＣコイン等の返却口６、および玉払出し口７を備えている。  玉貸機１はまた、内部に制御部６０を備え、各制御部６０は管理サーバ７０と通信可能に接続されている。  管理サーバ７０は、さらにパチンコ店内の適宜箇所に設置された精算機７５とも通信可能に接続されている。  ＩＣコインにはそれぞれを識別可能なＩＤが書き込まれており、管理サーバ７０は、ＩＣコインのＩＤに対応させた管理領域７２（７２Ａ、７２Ｂ、・・７２Ｎ）を設定し、各ＩＣコインの金額データを記憶可能に構成されている。  
【０００９】
図２、図３は玉貸機１の詳細を示し、図２は正面パネル２の正面図、図３は内部構造を示す側面図で、硬貨およびＩＣコインの通路については断面を示している。  まず図２に示すように、正面パネル２の略中間高さ位置には樋状の玉払出し口７が配置されている。玉払出し口７より上側の上半部には、上から順に紙幣挿入口３、硬貨およびＩＣコインの共通投入口４が設けられ、さらにその下側には、返却スイッチ８、返却ボタン９、残玉回数表示部１０、残高・貯玉度数表示部１１、表示切替スイッチ１２、高額払出スイッチ１３、高額使用可表示部１４、貯玉払出スイッチ１５、貯玉使用可表示部１６が設けられている。  
【００１０】
また、玉払出し口７より下側の下半部には、返却口６を含み内部にエラーコイン収納部８２を備えた収納部パネル８０、鍵穴１７、およびカード挿入口５が設けられている。  返却スイッチ８は、ＩＣコインや会員カードの返却を求めるためのスイッチ、返却ボタン９は内部に詰まった硬貨やＩＣコインを払い出すためのボタンである。  残玉回数表示部１０は、貸玉を払出す際に、払出すべき玉数を減算表示する。  残高・貯玉度数表示部１１は、投入された紙幣、ＩＣコインまたは会員カードの残高金額または対応する玉数を表示する。表示切替スイッチ１２はＩＣコインまたは会員カードのいずれの残高を残高・貯玉度数表示部１１に表示させるかを選択するためのものである。  
【００１１】
高額払出スイッチ１３は、例えば２千円以上の高額紙幣を投入したとき、まず千円分だけの玉が玉払出し樋から払い出されるが、その後さらに払出しを受けるためのものである。残高が存在する範囲で、このスイッチを押すごとに千円分ずつの玉が払い出される。  高額使用可表示部１４は、当該玉貸機が高額紙幣を受付け可能状態であることをＬＥＤの点灯で表示する。また貯玉使用可表示部１６は、当該玉貸機が会員カードを受付け可能状態であることをＬＥＤの点灯で表示する。  
【００１２】
貯玉払出スイッチ１５は、会員カードが挿入されているとき、払出しを受けるためのものである。貯玉が存在する範囲で、このスイッチを押すごとに例えば１００個分など所定単位ずつの玉が払い出される。  返却口６は、残高が設定されたＩＣコイン、および不良硬貨を払い出す。  下半部のうち返却口６を含む収納部パネル８０は、鍵穴１７にキーを挿し込んで開錠することにより取り外すことができ、後述する収納部パネル８０の裏面側に取り付けられたエラーコイン収納部８２から読取りエラーの発生したＩＣコインを容易に回収可能となっている。  
【００１３】
図３に示すように、玉貸機１内部では、玉通路６６が玉払出し口７を図示しない貸玉供給部に接続している。玉貸機１の上部には、紙幣挿入口３（図２参照）に連ねた紙幣識別機２０が設けられ、紙幣挿入口３から投入された紙幣の真偽および金額を識別する。投入されたものが真紙幣の場合は図示しない紙幣搬送通路へ送り出される一方、偽紙幣の場合は紙幣挿入口３から差し戻される。  硬貨およびＩＣコインの共通投入口４（図２参照）には投入通路２１が接続され、共通投入口４から投入された硬貨あるいはＩＣコインを硬貨セレクタ３０へ案内する。  
【００１４】
硬貨セレクタ３０は、投入通路２１からの硬貨あるいはＩＣコインを受け入れる受入れ通路３１を有し、受入れ通路３１にそって第１、第２のセンサ３２、３３を備えている。そしてこれら第１、第２のセンサで硬貨を識別して、振分けゲート３４を切替え作動させる。  図４は振分けゲート部分の断面図である。硬貨およびＩＣコインの共通投入口４から投入された硬貨が正貨であれば振分けゲート３４が開いて、受入れ通路３１からの硬貨が第１通路３５へ案内される。  共通投入口４から投入されたものが偽貨またはＩＣコインの場合は、振分けゲート３４が閉じて、第２通路３６へ案内される。  硬貨セレクタ３０の第１通路３５は正貨通路２２に接続し、正貨は正貨通路２２から図示しない硬貨搬送路へ送り出される。第２通路３６は非正貨通路２３に接続する。  
【００１５】
非正貨通路２３の下端は、上部振分け部４０を介して左右に枝分かれした保留部２４と偽貨返却通路２５につながっている。上部振分け部４０は、ＩＣコインのＩＤ読み取りを行う上部リーダ４２と、振分けディスク４４を備える。  振分けディスク４４は周縁部に切り欠き凹部４５を有して、非正貨通路２３を移動してきたＩＣコイン等をその切り欠き凹部４５に保持し、一方向または逆方向に回動して、保持したＩＣコイン等を保留部２４または偽貨返却通路２５へ振り分ける。  振分けディスク４４の切り欠き凹部４５に保持されているＩＣコインを、必要に応じて、上部振分け部のＩＣコインと呼ぶ。上部リーダ４２は読み取ったＩＣコインのＩＤを制御部６０へ出力する。  偽貨返却通路２５の下端は返却口６に開口している。  
【００１６】
保留部２４の下端は、下部振分け部５０を介して左右に枝分かれした回収通路２６とＩＣコイン払出し通路２７につながっている。下部振分け部５０は、ＩＣコインのＩＤ読み取りを行う下部リーダ５２と、振分けディスク５４を備える。  振分けディスク５４は周縁部に切り欠き凹部５５を有して、保留部２４を移動してきたＩＣコインをその切り欠き凹部５５に保持する。  振分けディスク５４の切り欠き凹部５５に保持されているＩＣコインを、必要に応じて、下部振分け部のＩＣコインと呼ぶ。下部リーダ５２は読み取ったＩＣコインのＩＤを制御部６０へ出力する。  保留部２４は共通投入口４から投入されたＩＣコインを多数保留するために、折れ曲がり形状として長い通路長を確保している。  
【００１７】
振分けディスク５４は、一方向または逆方向に回動して、切り欠き凹部５５に保持したＩＣコインをＩＣコイン払出し通路２７または回収通路２６へ振り分ける。  なお、振分けディスク４４、５４はそれぞれ切り欠き凹部４５、５５を回転軸を挟んだ対称位置の２箇所に有しており、半回転ごとに非正貨通路２３または保留部２４を移動してきたＩＣコインを保持できるようになっている。  回収通路２６は玉貸機１の下部に配置されたエラーコイン収納部８２につながり、ＩＣコイン払出し通路２７は返却口６に開口している。  玉貸機１の底部には、カード挿入口５に対応させてカードリードライタ６４が設置されている。  
【００１８】
制御部６０は玉貸機１の下半部に保留部２４および回収通路２６と重ねて配置されている。  制御部６０は、紙幣識別機２０、上部振分け部４０、下部振分け部５０、およびカードリードライタ６４と図示しない信号線で接続されている。  これにより、紙幣識別機２０は紙幣挿入口３から投入された紙幣の金額データを制御部６０へ出力する。  
【００１９】
上部振分け部４０からは、振分けディスク４４の切り欠き凹部４５に保持したＩＣコインのＩＤを上部リーダ４２で読み取ったデータが制御部６０に入力される。上部リーダ４２でＩＣコインのＩＤが読み取れた場合は、制御部６０は当該ＩＣコインを保留部２４へ送り出す方向に振分けディスク４４を回動させる指令を出力する。  一方、上部リーダ４２でＩＤを読み取れなかったときは、振分けディスク４４の切り欠き凹部４５に保持したものはＩＣコインではなく偽貨であるものとして、偽貨返却通路２５へ送り出す方向に振分けディスク４４を回動させる指令を出力する。  
【００２０】
下部振分け部５０は、振分けディスク５４の切り欠き凹部５５に保持したＩＣコインのＩＤを、制御部６０からの指示に基づいて下部リーダ５２で読み取り、そのＩＤを制御部６０へ出力する。制御部６０は別途ＩＣコインの払出しが必要となるまで、当該ＩＣコインを下部振分け部５０に保持させたままとする一方、下部リーダ５２から受け取ったＩＣコインのＩＤを
管理サーバ７０へ出力して、当該ＩＤのための管理領域７２を設定させる。  ＩＣコインのＩＤを下部リーダ５２で読み取れないエラーが発生したときには、制御部６０は当該ＩＣコインを回収通路２６へ送り出す方向に振分けディスク５４を回動させる指令を出力する。
【００２１】
回収通路２６へ送り出されたＩＣコインは、後述するエラーコイン収納部８２にて収納される。エラーコイン収納部８２は収納部パネル８０に取り付けられ、鍵８６を開錠することによりエラーコイン収納部８２を玉貸機１から取り外してＩＣコインを収集することができる（図８乃至図１０参照）。  
【００２２】
カードリードライタ６４からは、カード挿入口５から挿入された会員カードに記録された金額データが読み取られて制御部６０に入力され、制御部６０からは払出した貸玉の購入金額を差し引いた残高データが出力されて会員カードに書き込まれる。  
【００２３】
図５、図６は、以上のように構成された実施の形態における、とくに紙幣、硬貨、およびＩＣコインによる貸玉購入時の制御動作の流れを示すフローチャートである。  まず、ステップ１００において、玉貸機１の紙幣識別機２０、硬貨セレクタ３０、および上部振分け部４０は待機状態にある。  紙幣挿入口３から紙幣が投入されて、紙幣識別機２０から入金金額データが制御部６０へ入力されるとステップ１０１へ進む。  硬貨およびＩＣコインの共通投入口４から硬貨が投入されて、硬貨セレクタ３０から入金金額データが制御部６０へ入力されるとステップ１０２へ進む。  共通投入口４からＩＣコインが投入されて、上部振分け部４０からＩＣコインのＩＤが制御部６０へ入力されるとステップ３０１へ進む。  
【００２４】
ステップ１０１で、制御部６０は、入金金額が千円以下であるかをチェックして、千円以下であればステップ１０２へ進み、千円を超える高額の場合はステップ１０３へ進む。  ステップ１０２では、制御部６０は入金金額分だけの貸玉を払出すように、貸玉供給部へ指令を出力して玉貸し処理を実行し、待機状態へ戻る。  また、共通投入口４から硬貨が投入された場合も、このステップ１０２において入金金額分だけの玉貸し処理が実行される。  
【００２５】
一方、高額入金の場合、ステップ１０３では、制御部６０が、下部振分け部５０のＩＣコインのＩＤと入金金額のデータを管理サーバ７０へ出力する。これにより、管理サーバ７０は、当該ＩＣコインのＩＤ（ＩＤ：Ａ）に対応させた管理領域７２Ａに入金金額（例えば５０００円）を記憶する。  このあとステップ１０４において、管理サーバ７０はまず千円分の玉貸しを制御部６０へ指示し、これに基づいて制御部６０は貸玉供給部へ指令を出力して玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（４０００円）を、当該管理領域に記憶する。  
【００２６】
続いてステップ１０５において、管理サーバ７０は、上記管理領域７２Ａに記憶された金額が０（ゼロ）でない、すなわち残高があるかどうかをチェックする。そして残高がある場合は、ステップ１０６へ進み、残高がない場合は待機状態へ戻る。  ステップ１０６では、管理サーバ７０は残高を制御部６０へ出力し、これを受信した制御部６０は利用可能残高として残高・貯玉度数表示部１１に表示する。  
【００２７】
ステップ１０７では、制御部６０は、高額払出スイッチ１３がオンされたかどうかをチェックする。高額払出スイッチ１３がオンされた場合は、制御部６０はその旨を管理サーバ７０へ出力してステップ１０４へ戻る。すなわち、管理サーバ７０は千円分の玉貸しを制御部６０へ指示し、これに基づいて制御部６０は玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（３０００円）を、当該管理領域に記憶する。  
【００２８】
高額払出スイッチ１３がオンされていない場合は、ステップ１０７からステップ１０８へ進み、返却スイッチ８がオンされたかどうかをチェックする。返却スイッチ８もオンされていないときはステップ１０７へ戻り、高額払出スイッチ１３のオンまたは返却スイッチ８のオンのチェックを繰り返す。  
【００２９】
ステップ１０８のチェックで返却スイッチ８がオンされたときは、ステップ１０９において制御部６０は下部振分け部５０に指令を出し、振分けディスク５４を回動させてその切り欠き凹部５５に保持したＩＣコインをＩＣコイン払出し通路２７へ払出させる。  そして、ステップ１１０において、制御部６０は次に下部振分け部５０の振分けディスク５４に保持されたＩＣコインのＩＤ（ＩＤ：Ｂ）を下部リーダ５２から受けて、そのＩＤを管理サーバ７０に出力して新たな管理領域７２Ｂを設定させたあと、待機状態へ戻る。  
【００３０】
ＩＣコインが投入された場合のステップ３０１では、制御部６０は、上部リーダ４２が読み取った上部振分け部４０のＩＣコインのＩＤ（ＩＤ：Ｃ）を管理サーバ７０へ出力する。  ステップ３０２では、管理サーバ７０は、投入された当該ＩＣコインのＩＤ（ＩＤ：Ｃ）に対応する管理領域を検索し、その管理領域７２Ｃに記憶された金額が０（ゼロ）でない、すなわち残高があるかどうかをチェックする。そして残高がある場合は、ステップ３０３へ進み、残高がない場合はステップ３０５へ進む。  
【００３１】
ステップ３０３で管理サーバ７０は、下部振分け部５０のＩＣコインのＩＤ（ＩＤ：Ｄ）に対応する管理領域７２Ｄに上記残高を移動させる。  すなわち、図７に示すように、投入されたＩＣコインのＩＤ（ＩＤ：Ｃ）に対応する管理領域７２Ｃに記憶された金額が例えば３０００円であった場合、矢示のように、元来記憶値が０円であった下部振分け部５０のＩＣコインのＩＤ（ＩＤ：Ｄ）に対応する管理領域７２Ｄに上記３０００円が記憶され、管理領域７２Ｃの記憶値が０円に書き換えられて、残高が付け替えられる。  
【００３２】
次のステップ３０４において、制御部６０は振分けディスク４４を回動させて、上部振分け部の残高をゼロとされたＩＣコインを保留部２４へ送る。  これにより、共通投入口４から投入されたＩＣコインは保留部２４に入って保留される際にすべて残高がゼロに設定されることになる。  このあとは、ステップ１０４の玉貸し処理に進み、以後、高額入金時の処理と同じである。  一方、投入されたＩＣコインに残高がなかった場合のステップ３０５では、制御部６０が当該ＩＣコインを上部振分け部４０から保留部２４へ送らせ、その後待機状態に戻る。  
【００３３】
すなわち、本システムの制御では、高額入金に対して入金金額の全部を消費しないで遊技を終了する場合には、ＩＣコインを払出し、そのＩＣコインのＩＤに対応させて管理サーバ７０に残額が記憶されるので、次回ＩＣコインを投入すればそのＩＤに基づいて残高が確認され、貸玉の購入が可能となる。  また、投入されたＩＣコインはその残高が管理サーバ７０においてゼロにされ、代わりに次の払出し用に下部振分け部５０に保持されている別のＩＣコインのＩＤに対応する管理領域に付け替えられる。残高をゼロとされたＩＣコインは保留部２４、すなわち玉貸機１内に保留されるから、投入したＩＣコインとはＩＤが異なるＩＣコインが払出されることとなる。  
【００３４】
精算機７５もＩＣコインのＩＤを読み取る図示省略のリーダ部を備え、精算機７５に投入されたＩＣコインのＩＤを管理サーバ７０に出力する。管理サーバ７０は当該ＩＤに対応する管理領域７２に記憶された残額を精算機７５へ通知するので、精算機７５はその残額を精算金として払出す。管理サーバ７０は残額を精算機７５へ通知した後、当該ＩＤに対応する管理領域の残額をゼロに書き換える。
【００３５】
図８乃至図１０は本発明の要旨の部分である、エラーコイン収納部８２の詳細を示した図である。ＩＣコインのＩＤを下部リーダ５２で読み取れないエラーが発生したときには、制御部６０は当該ＩＣコインを回収通路２６へ送り出す方向に振分けディスク５４を回動させる指令を出力する。  
【００３６】
回収通路２６へ送り出されたＩＣコインは、エラーコイン収納部８２にて収納される。エラーコイン収納部８２は収納部パネル８０に取り付けられ、収納部パネル８０は、下端を半長円形状に切り欠いた軸受部８４が玉貸機１内の所定の位置に設けられた軸８５に支持され、上端の鍵受部８８が玉貸機１に取り付けられた鍵８６のキープレート８７によって固定されている（図８）。勿論、軸受部８４を玉貸機１に、軸８５を収納部パネル８０に備える構成としてもよく、鍵受部８８を玉貸機１に、鍵８６を収納部パネル８０に備える構成としてもよい。  また、収納部パネル８０は返却口６を含み、ＩＣコイン払出し通路２７とつながっているが、この部分は本発明の要旨に関係するものではなく、返却口６を収納部パネル８０とは別体に構成しても構わない。  
【００３７】
エラーコイン収納部８２に回収されたＩＣコインは、鍵８６を開錠することにより収納部パネル８０の上端部が開放され（図９参照）、下端部を軸に手前側に回動し、軸受部８４を軸８５から外すことによって（図１０参照）、エラーコイン収納部８２を玉貸機１から取り外すことによりＩＣコインを容易に収集することができる。
【００３８】
本実施の形態では、収納部パネル８０、エラーコイン収納部８２が収納部を、鍵受部８８が保持受部を、鍵８６、キープレート８７が保持機構を構成している。保持機構に関してはセキュリティの面を考慮すると鍵とすることが好ましいが、キーを必要とせずに開放することが可能なものであっても本発明に含まれる。
【００３９】
本発明の構成では収納部パネル８０の下端を軸受部８４、軸８５で支持して上端を手前側に回動させる構成としているので引き出す途中で引っ掛かったりすることなく容易に取り外すことができる。  
【００４０】
なお、エラーコイン収納部８２には下部振分け部５０にて読み取りエラーが発生したＩＣコインを収納する構成として説明したが、保留部２４にセンサ（不図示）を設けるなどして、保留部２４のＩＣコインが満杯になったことを検知することにより、下部振分け部５０のＩＣコインをオーバーフローとしてエラーコイン収納部８２へ送り出す構成とすることも可能である。また、センサからの信号を制御部６０から管理サーバ７０へ送信し、管理サーバにて満杯になった玉貸機１を認知できるようにしたり、玉貸機１にて認知できるようにしてもよい。同様にエラーコイン収納部８２が満杯になったことを検知するセンサを設けて、管理サーバ７０や玉貸機１にて認知できるようにしてもよい。  
【００４１】
また、上部リーダ４２でデータを読み取ったＩＣコインのＩＤ、下部振分け部５０で返却口へ払出したＩＣコインのＩＤ、エラーコイン収納部８２へ送出したＩＣコインのＩＤを管理サーバで記憶すれば、遊技場内の各玉貸機１内の保留部２４やエラーコイン収納部８２に保留されているＩＣコインの数を管理サーバ７０にて把握することが可能であり、そうすることによって予め最大保留枚数を設定しておけばセンサを設けることなく満杯になったことを認知することができる。また、満杯に至らない数の所定の設定枚数に達した場合に管理サーバ７０または玉貸機１にて認知できるようにし、設定枚数を超えた分のＩＣコインを下部振分け部５０からエラーコイン収納部８２へ送出して収集できるようにして、ＩＣコインが少なくなった場合にも認知できるように設定すれば、ＩＣコインの保留枚数が設定枚数を超えた玉貸機１のエラーコイン収納部８２に収納されたＩＣコインを収集し、保留枚数が少なくなった玉貸機１にＩＣコインを補充することによって、各玉貸機１間においてＩＣコインをバランスよく保留し、保留部にＩＣコインが満杯になったりなくなったりして玉貸機１が一時的に営業ができなくなることを防止することが可能である。  
【００４２】
また、エラーコイン収納部８２を玉貸機１から取り外せないようにし、エラーコイン収納部８２の口を下向きになるまで回動させてＩＣコインを取り出
すように構成してもよい。  
【００４３】
実施の形態は、パチンコ店の玉貸しシステムを例として説明したが、本発明はこれに限定されず、パチンコ玉のほかメダルその他の遊技媒体貸出しシステムにも適用される。
【図面の簡単な説明】
【００４４】
【図１】本発明の実施の形態の構成を示す図である。
【図２】玉貸機の正面パネルの正面図である。
【図３】玉貸機の内部構造を示す側面図である。
【図４】硬貨セレクタにおける振分けゲート部分の断面図である。
【図５】貸玉購入時の制御動作の流れを示すフローチャートである。
【図６】貸玉購入時の制御動作の流れを示すフローチャートである。
【図７】ＩＣコインの残額の付け替え処理を示す説明図である。
【図８】エラーコイン収納部の詳細を示す側面図である。
【図９】エラーコイン収納部の詳細を示す側面図である。
【図１０】エラーコイン収納部の詳細を示す斜視図である。
【符号の説明】
【００４５】
１      玉貸機  ２      正面パネル  ３      紙幣挿入口  ４      共通投入口  ５      カード挿入口  ６      返却口  ７      玉払出し口  ８      返却スイッチ  ９      返却ボタン  １０    残玉回数表示部  １１    残高・貯玉度数表示部  １２    表示切替スイッチ  １３    高額払出スイッチ  １４    高額使用可表示部  １５    貯玉払出スイッチ  １６    貯玉使用可表示部  １７    鍵穴  ２０    紙幣識別機  ２１    投入通路  ２２    正貨通路  ２３    非正貨通路  ２４    保留部  ２５    偽貨返却通路  ２６    回収通路  ２７    ＩＣコイン払出し通路  ３０    硬貨セレクタ  ３１    受入れ通路  ３２    第１のセンサ  ３３    第２のセンサ  ３４    振分けゲート  ３５    第１通路  ３６    第２通路  ４０    上部振分け部  ４２    上部リーダ  ４４、５４    振分けディスク  ４５、５５    切り欠き凹部  ５０    下部振分け部  ５２    下部リーダ  ６０    制御部  ６４    カードリードライタ  ６６    玉通路  ７０    管理サーバ  ７２    管理領域  ７５    精算機  ８０    収納部パネル  ８２    エラーコイン収納部  ８４    軸受部  ８５    軸  ８６    鍵  ８７    キープレート  ８８    鍵受部  Ｋ      ＩＣコイン
【図１】
2006000331.tif 000003
【図２】
2006000331.tif 000004
【図３】
2006000331.tif 000005
【図４】
2006000331.tif 000006
【図５】
2006000331.tif 000007
【図６】
2006000331.tif 000008
【図７】
2006000331.tif 000009
【図８】
2006000331.tif 000010
【図９】
2006000331.tif 000011
【図１０】
2006000331.tif 000012